(57)【要約】      （修正有）【課題】前後左右のずれに加え、上下方向の振動にも対応でき、菌の増殖も抑制可能なロッカーユニットを提供する。【解決手段】他のロッカーユニットの天地板と重ね合わせ固定することで積み重ね可能としたロッカーユニットであって、少なくとも２つの通孔２１１を有する天地板２１と、天地板と他のロッカーユニットの天地板とを重ね合わせ固定するジョイント部材３と、を備え、ジョイント部材は、天地板の厚みと略同一長の軸部３１と、軸部の一端に設けられた頭部３２と、他端に設けられた係止部３３と、を有し、通孔は、係止部及び軸部を遊嵌可能であり、かつ、頭部を通さない形状であり、ジョイント部材は２枚の天地板を重ね合わせた状態で、係止部を通孔に挿入し回転させることで複数のロッカーユニットを連結する。【選択図】図４
0003229209.tif 000002
【実用新案登録請求の範囲】
【請求項１】
他のロッカーユニットの天地板と重ね合わせ固定することで積み重ね可能としたロッカーユニットであって、
少なくとも２つの通孔を有する天地板と、
該天地板と他のロッカーユニットの天地板とを重ね合わせ固定するジョイント部材と、
を備え、
前記ジョイント部材は、
天地板の厚みと略同一長の軸部と、
軸部の一端に設けられた頭部と、
他の端部に設けられた係止部と
を有し、
前記通孔は、前記係止部及び軸部を遊嵌可能であり、かつ、前記頭部を通さない形状であり、
前記ジョイント部材は２枚の天地板を重ね合わせた状態で、前記係止部を前記通孔に挿入し回転させることで複数のロッカーユニットを連結可能とする、ロッカーユニット。
【請求項２】
前記ロッカーユニットを構成する板材のうち、少なくとも一つが、抗菌剤含有プラスチック材からなる、請求項１記載のロッカーユニット。
【請求項３】
前記軸部の長さが、二つの天地板を重ねたときの、天地板の通孔の上面と、他の天地板の通孔の下面までの厚みと略同一である、請求項１又は２に記載のロッカーユニット。
【請求項４】
前記ジョイント部材における、前記係止部と前記軸部が略Ｔ字型である、請求項１又は２記載のロッカーユニット。
【請求項５】
前記頭部が平面を有し、
前記天地板が、前記通孔の周囲に凹部を有し、
該凹部が、前記頭部と略一致する形状である、請求項１又は２記載のロッカーユニット。
【請求項６】
請求項１〜５の何れか一項に記載のロッカーユニットを２以上重ね合わせた多段式ロッカー。
【考案の詳細な説明】
【技術分野】
【０００１】
本考案は、ロッカーユニット同士の上下連結方法に特徴のある、ロッカーユニットに関する。
【背景技術】
【０００２】
一般にスポーツジム、学校、病院、イベント会場等では、ロッカーが設けられている。そして、スポーツジム、学校、病院、イベント会場等では、複数のロッカーユニットを積み重ね構成した多段式ロッカーが広く採用されている。
【０００３】
従来技術として、ジョイント部材を用い、ロッカーユニットを互いに支持固定可能とした多段式ロッカーが知られている（特許文献１）。
【０００４】
このような多段式ロッカーには、外部からの衝撃や地震動等により上段のロッカーユニットが転落することなどが課題として存する。
【０００５】
また、個人に一定期間貸し出すロッカーにおいては、管理者が任意のタイミングでロッカー内の清掃をできず、菌が増殖するおそれがあった。
【先行技術文献】
【特許文献】
【０００６】
【特許文献１】実用新案登録第３２０７８５４号
【考案の概要】
【考案が解決しようとする課題】
【０００７】
上記先行技術のあるところ、本考案は、新規なロッカーユニットを提供することを課題とする。
具体的には、本考案は、ロッカーユニット同士の前後左右のずれに加え、上下方向の振動に対しても対応可能な技術を提供することを、課題とする。
また、本考案は、菌の増殖を抑制することのできるロッカーユニットを提供することを課題とする。
【課題を解決するための手段】
【０００８】
上記課題を解決する本考案のロッカーユニットは、
他のロッカーユニットの天地板と重ね合わせ固定することで積み重ね可能としたロッカーユニットであって、
少なくとも２つの通孔を有する天地板と、
該天地板と他のロッカーユニットの天地板とを重ね合わせ固定するジョイント部材と、
を備え、
前記ジョイント部材は、
天地板の厚みと略同一長の軸部と、
軸部の一端に設けられた頭部と、
他の端部に設けられた係止部と、
を有し、
前記通孔は、前記係止部及び軸部を遊嵌可能であり、かつ、前記頭部を通さない形状であり、
前記ジョイント部材は２枚の天地板を重ね合わせた状態で、前記係止部を前記通孔に挿入し回転させることで複数のロッカーユニットを連結可能とする。
【０００９】
本考案のロッカーユニットは、ロッカーユニット同士の前後左右のずれに加え、上下方向の振動に対しても強い。
【００１０】
また、本考案の好ましい実施の形態では、ロッカーユニットを構成する板材のうち、少なくとも一つは抗菌剤含有プラスチック材からなる。
本考案によれば、菌の増殖を抑制することができる。
【００１１】
また、本考案の好ましい実施の形態では、ジョイント部材における、前記係止部と前記軸部が略Ｔ字型である。
本考案の好ましい実施の形態によれば、ロッカーユニット同士の前後左右のずれに加え、上下方向の振動に対しても対応可能な技術を提供することができる。
【００１２】
また、本考案の好ましい実施の形態では、前記頭部が平面を有し、
前記天地板が、前記通孔周囲に凹部を有し、
該凹部が、前記頭部と略一致する形状である。
本考案の好ましい実施の形態によれば、ロッカーユニット同士の底面の凹凸の少ないロッカーユニットを提供することができる。
【００１３】
また、本考案は、前述のロッカーユニットを２以上重ね合わせた多段式ロッカーでもある。
【考案の効果】
【００１４】
本考案によれば、新規なロッカーユニットを提供することができる。
【図面の簡単な説明】
【００１５】
【図１】実施例のロッカーユニット１を示す斜視図である。
【図２】実施例のロッカーユニット１を組み合わせる形態を示す組立斜視図である。
【図３】実施例のロッカーユニット１の内部透過図である。
【図４】実施例のロッカーユニット１の固定機構を示す斜視図である。
【図５】実施例の天地板２１を示す表面図である。
【図６】実施例の天地板２１のＡ−Ａ断面図である。
【図７】実施例の天地板２１の裏面図である。
【図８】実施例の天地板２１の表面斜視図である。
【図９】実施例の天地板２１の裏面斜視図である。
【図１０】（ａ）実施例のジョイント部材３の正面図である。（ｂ）実施例のジョイント部材３の斜視図ある。
【図１１】（ａ）実施例のジョイント部材３の側面図である。（ｂ）実施例のジョイント部材３のＢ―Ｂ断面図である。
【考案を実施するための形態】
【００１６】
以下、実施例について説明するが、本考案の技術的範囲は実施例に限定されないことは言うまでもない。
【００１７】
本実施例のロッカーユニット１は、少なくとも２つの通孔２１１を有する天地板２１とジョイント部材３とを備える（図１〜図５  参照）。
【００１８】
ここで、本明細書において、ロッカーユニット１は、天地板２１と、側板２２と、扉板２３と、背板とを、備えるロッカーの構成単位をいう。そして、本実施例のロッカーユニット１は異なる部品（天地板２１、側板２２、扉板２３、背板）を組み合わせることにより形成されている。
ただし、本考案のロッカーユニット１は必要に応じて複数の部品が一体成型されていてもよい。
また、本考案において、ロッカーユニット１は、扉板２３を備えない、前面開口型のロッカーであってもよい。
【００１９】
以下、図４〜図９を参照しつつ、本考案の天地板２１のより好ましい形態を説明する。
【００２０】
本実施例の天地板２１は、その４隅に４つの通孔２１１を備える。
【００２１】
ただし、本考案においては、天地板２１は少なくとも２つの通孔２１１を備えていればよい。
また、天地板２１は、３以上の通孔２１１を備える形態であってもよい。３以上の通孔２１１を備える形態とすることで、天地板２１の面を固定することができる。
なお、本考案においては、天地板２１同士を連結保持可能であれば、通孔の設けられている位置にも、特に制限はない。
【００２２】
本実施例において、通孔２１１は、その全体形状として、ジョイント部材３の軸部３１と係止部３３を底面視したときの形状に対応する形状を有する（図７  図１０  参照）。
【００２３】
具体的には、本実施例において、通孔２１１は、円形状の軸用穴部２１１１と、該軸用穴部２１１１に繋がるよう設けられた係止用穴部２１１２により形成されている（図５  参照）。
そして、通孔２１１は、ジョイント部材３の頭部３２を通さない形状である（図４  参照）。
【００２４】
ただし、本考案において、通孔２１１は、ジョイント部材３の係止部３３及び軸部３１を遊嵌可能であり、かつ、頭部３２を通さない形状であれば、その形状に制限はない。
【００２５】
また、本実施例において、通孔２１１は、通孔２１１周囲に凹部２１２が設けられている。
ここで、凹部２１２は、その全体形状として、ジョイント部材３の頭部３２を平面視したときの形状に対応する形状を有する（図４  参照）。
【００２６】
具体的には、本実施例において、凹部２１２は、平面視したときに、略円形状に形成されている。
【００２７】
ただし、本考案において、凹部２１２は、ジョイント部材３の頭部３２を収容可能な形状であれば、その形状に制限はない。
【００２８】
また、本実施例において、天地板２１の裏面、凹部２１２に対応する位置に、支持筒２１３を備える。
支持筒２１３等を備えることで、天地板２１と、他の天地板２１とを重ね合わせたときに、互いの通孔２１１の位置を合わせやすい。
ここで、支持筒２１３の形状は、必ずしも円筒形状である必要はなく、例えば角筒形状であってもよい。
【００２９】
また、本実施例のロッカーユニットを構成する板材は、抗菌剤含有プラスチック材からなる。
なお、本考案においては、ロッカーユニットを構成する板材のうち、少なくとも一つが抗菌剤含有プラスチック材であればたりる。
また、本考案のさらに好ましい実施の形態では、天地板２１及び／又は側板２２が抗菌剤含有プラスチック材からなる。
上記形態とすることで、抗菌作用を備えるロッカーユニット１を提供することができる。
また、成型前のプラスチック原材料に抗菌剤を含む形態とすることで、表面抗菌処理製品に比して、経年劣化のないロッカーユニットを提供することができる。また、成型前のプラスチック原材料に抗菌剤を含む形態とすることで、表面抗菌処理製品に比して、塗装の剥がれ等による抗菌作用の劣化を抑えることができる。
【００３０】
ここで、抗菌剤含有プラスチック材中の抗菌剤として、銀系無機抗菌剤を挙げることができる。
銀系無機抗菌剤を含むプラスチック材を用いることで、長期間の抗菌効果に優れたロッカーユニットを提供することができる。また、銀系無機抗菌剤を含むプラスチック材を用いることで、安全性、耐熱性に優れた抗菌剤含有のロッカーユニットを提供することができる。
【００３１】
なお、本考案においては、プラスチック原材料に含める抗菌剤の種類に、特に制限はない。
【００３２】
また、本実施例において、天地板２１は、その裏面にストッパー部２１４を備える（図７  参照）。ここで、本実施例において、ストッパー部は、通孔２１１に通したジョイント部材３を回転させたときに、係止部３３の向きを９０°で止める役割を有する。
【００３３】
本実施例においてストッパー部２１４は、通孔２１１の近傍に設けられている。
そして、本実施例においてストッパー部２１４は、略直方体形状の突起からなる。
ここで、本実施例においてストッパー部２１４は、通孔２１１の長手方向に対して垂直方向に、伸びている。また、本実施例においてストッパー部２１４は、各々の通孔２１１周縁に、２つ設けられている。
上記形態とすることで、通孔２１１に通したジョイント部材３を回転させたときに、係止部３３の向きを、所望の位置で止めることができる。
【００３４】
ただし、本考案において、ストッパー部２１４は、通孔２１１に通したジョイント部材３を回転させたときに、係止部３３の向きを所望の位置で止めることができる形態であれば、その形状、機構に特に制限はない。
【００３５】
また、本考案において、天地板２１の材質、全体形状、厚み、機構にも、特に制限はない。
【００３６】
ここで、本考案においては、側板２２が上記の天地板２１と同様の機構を備える形態であってもよい。側板２２が上記の天地板２１と同様の機構を備える形態における好ましい実施の形態は、前述の説明を援用することができる。
【００３７】
以下、図４、図１０〜図１１を参照しつつ、ジョイント部材３のより好ましい形態を説明する。
【００３８】
本実施例において、ジョイント部材３は、
軸部３１と、
軸部３１の一端に設けられた頭部３２と、
他の端部に設けられた係止部３３と、を有する。
【００３９】
そして、軸部３１の長さは、二つの天地板２１を重ねたときの、天地板２１の通孔２１１の上面と、他の天地板２１の通孔２１１までの下面までの厚みと略同一である。
上記形態とすることで、２枚の天地板２１を重ね合わせた状態で、係止部３３を通孔２１１に挿入し回転させることで複数のロッカーユニット１を固定できる。
【００４０】
本実施例において、軸部３１は円柱形状である。
【００４１】
また、本実施例において、軸部３１は、その内部に空洞を有する。
軸部３１の内部に空洞を有することで、ジョイント部材３の強度を高めることができる。また、軸部３１の内部に空洞を有することで、ジョイント部材３の重量を軽減することができる。
【００４２】
ただし、本考案において、軸部３１は、通孔２１１に通すことが可能であり、かつ、通孔２１１に通した状態で回転可能であれば、その太さ、形状に特に制限はない。
【００４３】
また、本実施例において、係止部３３は、軸部３１に二つ設けられている。
そして、二つの係止部３３は、軸部３１を中心に対称の位置に設けられている。
具体的には、ジョイント部材３を側面視したときの係止部３３と軸部３１が略Ｔ字型である。
【００４４】
本考案においては、係止部３３の数は、三つ以上、四つ以上であってもよい。
ただし、本考案において、ジョイント部材３は、通孔２１１に遊嵌可能であり、かつ、軸部３１の回転により天地板２１同士を連結可能であれば、その形状に制限はない。
【００４５】
本実施例において、頭部３２は、略円盤形状である。
【００４６】
また、本実施例において、頭部３２には、十字型のネジ穴３２１が設けられている。
ネジ穴３２１部が設けられていることで、頭部３２のネジ穴３２１にドライバー等の先端を嵌めて回すことができる。そして、ロッカーユニット１同士の解体も、より簡便に行うことができる。
【００４７】
また、ネジ穴３２１は、係止部３３と同方向に、長く伸びている。
上記形態とすることで、頭部３２のネジ穴３２１の向きにより、挿入した係止部３３を目視することなくその向きを把握することができる。
【００４８】
以下、図面を参照しつつ、本考案のロッカーユニット１の組み立て方法について、説明する。
【００４９】
まず、天地板２１と、他の天地板２１とを、重ね合わせる。
次に、天地板２１に設けられた通孔２１１に、ジョイント部材３の係止部３３を通す。
そして、ジョイント部材３の頭部３２が天地板２１の凹部２１２の底に接地するまで、押し込む。
その後、ジョイント部材３の頭部３２を、係止部３３がストッパー部２１４に引っかかるまで（９０°）、回転させる。
上記工程により、ジョイント部材３を用い、一の天地板２１と、他の天地板２１とを、連結固定することができる。
【００５０】
また、本考案における多段式ロッカーユニットは、その段数に特に制限はない。
【産業上の利用可能性】
【００５１】
本考案は、ロッカーユニットに応用することができる。
【符号の説明】
【００５２】
１        ロッカーユニット
２１      天地板
２１１    通孔
２１１１  軸用穴部
２１１２  係止用穴部
２１２    凹部
２１３    支持筒
２１４    ストッパー部
２２      側板
２３      扉板
３        ジョイント部材
３１      軸部
３２      頭部
３２１    ネジ穴
３３      係止部
【図１】
0003229209.tif 000003
【図２】
0003229209.tif 000004
【図３】
0003229209.tif 000005
【図４】
0003229209.tif 000006
【図５】
0003229209.tif 000007
【図６】
0003229209.tif 000008
【図７】
0003229209.tif 000009
【図８】
0003229209.tif 000010
【図９】
0003229209.tif 000011
【図１０】
0003229209.tif 000012
【図１１】
0003229209.tif 000013